(57)【要約】【課題】加熱炉に圧延材を装入するための加熱炉装入テーブルにおいて、テーブル上に装入待ちの圧延材があっても、下流の加熱炉に空炉が発生することを回避して、加熱効率を維持することができ、あるいは、テーブル上に鋳造順に応じて並べられた圧延材を、圧延側の制約を満足するように並び替えることにより、ＤＨＣＲや仮置きＨＣＲの実施を拡大することができる加熱炉装入テーブルおよび加熱炉装入方法を提供する。【解決手段】加熱炉装入テーブル２０は、ローラテーブル２１上の装入待ちのスラブ１１を一時的に退避させるためのスラブトング２２を備えており、装入待ちのスラブ１１をスラブトング２２によって吊り上げて、後続のスラブ１２が追い越すことができるようにしている。【選択図】図２
2006200038.tif 000002
【特許請求の範囲】
【請求項１】
熱間圧延ラインに設置された加熱炉に圧延材を装入するための加熱炉装入テーブルであって、テーブル上の圧延材を一時的にテーブル上から退避させる圧延材退避装置を備えたことを特徴とする加熱炉装入テーブル。
【請求項２】
熱間圧延ラインに設置された加熱炉に圧延材を装入するための加熱炉装入テーブルであって、テーブル上の圧延材を一時的にテーブル上から退避させる圧延材退避装置を備え、先行の圧延材を前記圧延材退避装置によって一時的にテーブル上から退避させて、後続の圧延材が先行の圧延材を追い越すことができることを特徴とする加熱炉装入テーブル。
【請求項３】
加熱炉装入テーブル上の先行する圧延材を、圧延材退避装置を用いて一時的にテーブル上から退避させ、後続の圧延材を通過させた後、テーブル上に戻すことにより、加熱炉への圧延材装入順を変更することを特徴とする加熱炉装入方法。
【発明の詳細な説明】
【技術分野】
【０００１】
この発明は、熱間圧延ラインに設置された加熱炉に圧延材を装入するための加熱炉装入テーブルおよび加熱炉装入方法に関するものである。
【背景技術】
【０００２】
圧延ラインに設置された加熱炉に圧延材（例えば、スラブ）を装入する際には、スラブはあらかじめ決められた装入順に従ってスラブヤードで山付けされ、その装入順に装入テーブルに載せられて装入テーブル上を搬送された後、プッシャーによって加熱炉に装入される（例えば、特許文献１参照。）。
【０００３】
この際に、複数の加熱炉がある場合は、どの加熱炉に装入するかを選択する方法として、複数ある加熱炉の炉番号を単純に循環させる方法や、スラブの属性や圧延条件に応じて加熱炉を使い分けする方法など多くの方法がある。
【０００４】
スラブの属性に応じて加熱炉を使い分ける方法（以下、「炉分け」と称する）としては、複数の加熱炉を熱片スラブ用の加熱炉と冷片スラブ用の加熱炉として運用するものが代表的である。冷片スラブを加熱して圧延に必要な温度まで加熱する場合と、熱片スラブを加熱して圧延に必要な温度まで加熱する場合とでは、当然ながら必要な炉温設定値も加熱時間すなわち炉内搬送速度も異なる。したがって、それぞれを異なる炉に装入しそれぞれに適切な炉温設定値と炉内搬送速度で操業することにより、製造コストを低減することが一般に行われている。このような炉分けは、前記の熱片スラブと冷片スラブのほか、類似鋼種、類似寸法等、製造コスト低減のためにさまざまな形態により実施されている。
【０００５】
複数ある加熱炉のおのおのは、装入端（装入テーブル側）から装入されると装入順のまま抽出端（抽出テーブル側）で抽出される。加熱炉内の搬送はプッシャーまたはウォーキングビームで行なわれるが、いずれも装入から抽出までの炉内のスラブが同時に移動する。通常、加熱炉は加熱効率を最大化させるためにスラブを稠密に装入するが、装入側のスラブ供給がこの炉内搬送に間に合わない場合には炉内スラブは稠密にはならず、加熱効率の低下を招く。
【０００６】
この稠密装入の破綻を防止する対策として、炉内ウォーキングビームの装入側、抽出側の２割化や、装入プッシャーの長腕化がある。これらの装置によれば、ある時期、装入ピッチが抽出ピッチに遅れてしまた場合でも、装入側のスラブを抽出ピッチとは非同期で先詰めすることができる。
【０００７】
なお、［発明が解決しようとする課題］の欄において、下記の非特許文献１を引用するので、ここに併せて記載しておく。
【特許文献１】特開昭６１−１６６９１５号公報
【非特許文献１】日本鉄鋼協会、「わが国における最近のホットストリップ製造技術」、第２版、１９８７年８月１０日、ｐ.４２、ｐ.５１
【発明の開示】
【発明が解決しようとする課題】
【０００８】
しかし、前述のような対策をとっても、装入側のスラブ供給が抽出ピッチに遅れる場合がある。先のウォーキングビームの２分割化や、装入プッシャーの長腕化はひとつの加熱炉での装入、抽出ピッチの差に対する対策である。通常、加熱炉は複数具備されており、それらの装入口は１系統の装入テーブルに沿って配置されている。従って、もし、ある加熱炉の装入端に装入スペースが無く、該炉への装入予定スラブが装入テーブル上で装入待ちとなった場合には、下流側の加熱炉に装入スペースが確保できていても、下流側の炉への装入予定スラブの搬送はできず、加熱炉の空炉が発生し、加熱効率が低下する。
【０００９】
例えば、図８に示すように、１号炉３１、２号炉３２、３号炉３３の３台の加熱炉が設置されて、それらの装入口が装入テーブル２０に沿って配置されている場合、２号炉３２に装入スペースが無く、２号炉３２への装入予定スラブ１１が装入テーブル２０上で装入待ちとなった時には、下流側の３号炉３３に装入スペースが確保できていても、２号炉３２への装入予定スラブ１１のために、３号炉３３への装入予定スラブ１２の搬送ができず、３号炉３３の空炉が発生し、加熱効率が低下する。
【００１０】
特に前述した炉分け操業においては、炉分けされた各炉の炉内搬送速度は異なるために、装入テーブルの下流側の加熱炉に装入スペースが確保できていても、下流側の炉への装入予定スラブの搬送はできないという上記の状況が定常的に発生する。
【００１１】
また、近年では生産性向上のために、圧延ラインの上流工程である連続鋳造工程と、圧延工程との時間的同期化が一般的である。この同期化の手法は、非特許文献１（ｐ.４１）に記述されている。簡潔にまとめると、加熱炉を経ず直接圧延ラインへスラブを供給するＨＤＲ（Hot Direct Rolling）、鋳造後スラブヤードを経ず直接加熱炉へ装入し圧延するＤＨＣＲ(Direct Hot Charge Rolling)、スラブヤードへは一旦払い出すが、ヤード内でスラブ順の変更を行わないで加熱炉へ装入する仮置きＨＤＲ、熱片のままヤードでのスラブ順変更を行って加熱炉へ装入するＨＣＲ、スラブヤードで手入れ等をおこなって冷片となったスラブを装入するＣＣＲ(Cold Charge Rolling)に分けられる。
【００１２】
これらの中で、ＤＨＣＲや仮置きＨＣＲにおける課題のひとつに、鋳造順の制約条件と圧延順の制約条件との不一致がある。すなわち、通常の連続鋳造工程および熱間圧延工程では、同一製品を継続的に製造することはまれで、多品種の製品の製造順を、設備の能力に応じて決定する必要がある。例えば、連続鋳造機はさらに上流工程の製鋼工場の製鋼鍋単位でしかスラブ鋼種を変更できない。またスラブ幅はスラブ１本につき数十ｍｍ程度しか変えることができないし、スラブ長さも前記鋳造鍋をまたがるような切断も品質上問題がある。また、仮置きＨＣＲでヤードにスラブを山付けする際に、下段のスラブに対して上段のスラブが長い場合には、置いたときの姿勢が不安定となってしまうために、スラブ長さにも制約がある。さらに、熱間圧延工程では、製品板厚に関して、先行材の板厚と大幅に異なる場合には圧延機の設定変え精度等に技術的課題があるために、少しずつ製品板厚が変化するような圧延順とすることが望ましい。これについても、非特許文献１（ｐ.５１）に記載されている。
【００１３】
このように、連続鋳造工程と圧延工程とが非同期なため、前記の制約に関して、ＣＣＲでは連続鋳造時には鋳造側の制約のみ、圧延時には圧延側の制約を満足するよう製造順を決定し、その違いをスラブヤードでの配替えによって吸収している。しかしＤＨＣＲや仮置きＨＣＲでは、ＣＣＲのような配替えの工程がないため、鋳造順に応じて圧延順を決定せざるを得ず、結果として、ＤＨＣＲや仮置きＨＣＲがあまり実施できないという問題がある。
【００１４】
本発明は、上記のような問題を解消するためになされたものであり、加熱炉に圧延材を装入するための加熱炉装入テーブルにおいて、テーブル上に装入待ちの圧延材があっても、下流の加熱炉に空炉が発生することを回避して、加熱効率を維持することができ、あるいは、テーブル上に鋳造順に応じて並べられた圧延材を、圧延側の制約を満足するように並び替えることにより、ＤＨＣＲや仮置きＨＣＲの実施を拡大することができる加熱炉装入テーブルおよび加熱炉装入方法を提供することを目的とするものである。
【課題を解決するための手段】
【００１５】
上記課題を解決するために、本発明は以下の特徴を有する。
【００１６】
［１］熱間圧延ラインに設置された加熱炉に圧延材を装入するための加熱炉装入テーブルであって、テーブル上の圧延材を一時的にテーブル上から退避させる圧延材退避装置を備えたことを特徴とする加熱炉装入テーブル。
【００１７】
［２］熱間圧延ラインに設置された加熱炉に圧延材を装入するための加熱炉装入テーブルであって、テーブル上の圧延材を一時的にテーブル上から退避させる圧延材退避装置を備え、先行の圧延材を前記圧延材退避装置によって一時的にテーブル上から退避させて、後続の圧延材が先行の圧延材を追い越すことができることを特徴とする加熱炉装入テーブル。
【００１８】
［３］加熱炉装入テーブル上の先行する圧延材を、圧延材退避装置を用いて一時的にテーブル上から退避させ、後続の圧延材を通過させた後、テーブル上に戻すことにより、加熱炉への圧延材装入順を変更することを特徴とする加熱炉装入方法。
【発明の効果】
【００１９】
本発明においては、テーブル上の圧延材を一時的にテーブル上から退避させるための圧延材退避装置を備えているので、テーブル上に圧延材が装入待ちになっていても、その下流の加熱炉に後続の圧延材を装入することができ、下流の加熱炉に空炉が発生することを回避して、加熱効率を維持することができる。また、テーブル上に圧延材が鋳造順に並べられていても、先行の圧延材と後続の圧延材とを入れ替えることにより、圧延側の制約の順に並び替えることができ、ＤＨＣＲや仮置きＨＣＲ操業の実施を拡大することができる。
【発明を実施するための最良の形態】
【００２０】
本発明の実施形態を図面に基づいて説明する。
【００２１】
図１は、本発明の一実施形態に係る加熱炉装入テーブルを示す図である。図１に示すように、この実施形態に係る加熱炉装入テーブル２０は、ローラテーブル２１と、ローラテーブル２１の上方にスラブトング２２を備えている。
【００２２】
これにより、ローラテーブル２１上の圧延材（ここではスラブ）１０をスラブトング２２によって吊り上げて、一時的にローラテーブル２１上から退避させることができるようになっている。
【００２３】
そして、この加熱炉装入テーブル２０における動作例を図２に示す。
【００２４】
図２（ａ）に示すように、ローラテーブル２１上に先行のスラブ１１が装入待ちになっているところへ、下流側の加熱炉（図示せず）に装入予定の後続のスラブ１２が搬送されてきた場合には、図２（ｂ）に示すように、先行のスラブ１１をスラブトング２２によって吊り上げて一時的にローラテーブル２１上から退避させ、後続のスラブ１２を下流側に搬送する。そして、後続のスラブ１２が先行のスラブ１１を追い越したら、図２（ｃ）に示すように、先行のスラブ１１をローラテーブル２１上に戻す。
【００２５】
図３、図４は、１号炉３１、２号炉３２、３号炉３３の３台の加熱炉が設置されて、それらの装入口が加熱炉装入テーブル２０に沿って配置されている場合の例である。なお、図中の３４は抽出テーブルである。
【００２６】
図３に示す加熱炉装入テーブル２０では、１号炉３１の装入口近傍のローラテーブル２１上方にスラブトング２２ａが設置され、２号炉３２の装入口近傍のローラテーブル２１上方にスラブトング２２ｂが設置されている。
【００２７】
これによって、１号炉３１の装入待ちをしているスラブを追い越したい時には、その装入待ちのスラブをスラブトング２２ａによって退避させ、２号炉３２の装入待ちをしているスラブを追い越したい時には、その装入待ちのスラブをスラブトング２２ｂによって退避させる。
【００２８】
また、図４に示す加熱炉装入テーブル２０では、１号炉３１の装入口と２号炉３２の装入口の中間位置のローラテーブル２１上方にスラブトング２２ｃが設置されている。
【００２９】
これによって、１号炉３１の装入待ちをしているスラブを追い越したい時には、その装入待ちのスラブを下流に移動させてスラブトング２２ｃによって退避させ、２号炉３２の装入待ちをしているスラブを追い越したい時には、その装入待ちのスラブを上流に移動させてスラブトング２２ｃによって退避させる。
【００３０】
このようにして、この実施形態においては、ローラテーブル２１上のスラブを一時的にローラテーブル２１上から退避させるためのスラブトング２２を備えているので、ローラテーブル２１上にスラブ１１が装入待ちになっていても、その下流の加熱炉に後続のスラブ１２を装入することができ、下流の加熱炉に空炉が発生することを回避して、加熱効率を維持することができる。
【００３１】
なお、この実施形態においては、スラブ退避装置として、スラブトング２２を用いているが、それに代えて、図５に示すように、ローラテーブル２１のロールを、ひとつ置きに、スラブを搭載したまま上昇するテーブルロール２３にしてもよい。また、図６に示すように、スラブをテーブルロール間のスキッドで持ち上げるスキッドリフタ２４を設けたり、図７に示すように、スラブの退避と戻しが可能なプッシャー２５ａ、２５ｂを設けたりしてもよい。
【００３２】
さらに、以上の実施形態では、先行のスラブ１１が装入待ちとなった場合に、これを一時的にローラテーブル２１上から退避させ、後続のスラブ１２が追い越す場合について説明したが、本発明はこれに限定されるものではない。ＤＨＣＲや仮置きＨＣＲ操業において、ローラテーブル上にスラブが鋳造順に応じて並べられている場合に、本発明の加熱炉装入テーブルによれば、後続のスラブが先行のスラブを追い越すことができ、テーブル上のスラブを圧延側の制約を満足するように並び替えることができる。スラブ退避装置の構成や、追い越しを行う具体的な方法は、前述の実施形態と同様とすればよい。
【図面の簡単な説明】
【００３３】
【図１】本発明の一実施形態の説明図である。
【図２】本発明の一実施形態における動作例を示す図である。
【図３】加熱炉が３台の場合の一例を示す図である。
【図４】加熱炉が３台の場合の他の例を示す図である。
【図５】本発明の他の実施形態の説明図である。
【図６】本発明の他の実施形態の説明図である。
【図７】本発明の他の実施形態の説明図である。
【図８】従来技術の説明図である。
【符号の説明】
【００３４】
１０  スラブ    
１１  先行のスラブ
１２  後続のスラブ
２０  装入テーブル
２１  ローラテーブル
２２、２２ａ、２２ｂ、２２ｃ  スラブトング
２３  テーブルロール
２４  プッシャー
２５  スキッドリフタ
３１  １号炉
３２  ２号炉
３３  ３号炉
３４  抽出テーブル
【図１】
2006200038.tif 000003
【図２】
2006200038.tif 000004
【図３】
2006200038.tif 000005
【図４】
2006200038.tif 000006
【図５】
2006200038.tif 000007
【図６】
2006200038.tif 000008
【図７】
2006200038.tif 000009
【図８】
2006200038.tif 000010